(57)【特許請求の範囲】
【請求項１】
鉄筋コンクリート建物を形成する外断熱仮枠において、多面形状に成形した外壁用のステンレス化粧鋼板の両端を並行に折り曲げ袖固定部を成形すると共に、２枚のベニヤ板で発泡スチロールをサンドイッチ状に接着した断熱パネルの、一方の端部に断熱パネルとセパレーターと袖固定部を固定するための概ねコの字形をして室内側の辺にセパレーターを取り付けるためのタップ穴を開けた断熱パネル固定部材を嵌め込み固定し、他方の端部に袖固定部と隣り合う断熱パネル固定部材を固定するための概ねコの字形をした断熱パネル嵌込部材を嵌め込むことにより断熱パネル仮枠を形成し、その断熱パネル仮枠をステンレス化粧鋼板の袖固定部の間に嵌め込み横方向に複数個並べ、隣り合う断熱パネル固定部材と断熱パネル嵌込部材とステンレス化粧鋼板の袖固定部をボルトで固定したことを特長とする隣地空無し、鉄筋コンクリート建物を成形する外断熱一体型仮枠構造。
【請求項２】
建物の階高に合せてステンレス化粧鋼板を成形すると共に、上階のステンレス化粧鋼板の下端の室内側に下端を室内方向に折り曲げた固定用平板を配置し、室外側にステンレス化粧鋼板の多面形状に合わせた帯状の継目化粧鋼板を配置し、固定用平板と継目化粧鋼板でステンレス化粧鋼板をサンドイッチ状に固定し、下階のステンレス化粧鋼板の上部に挟み込み上下階のステンレス化粧鋼板を一体に形成したことを特長とする請求項１に記載の隣地空無し、鉄筋コンクリート建物を成形する外断熱一体型仮枠構造。
【請求項３】
多面形状に成形した外壁用のステンレス化粧鋼板の両端を、断熱パネル仮枠の巾と概ね断熱パネル固定部材の厚さを合計した長さに合せて並行に折り曲げ袖固定部を成形したことを特長とする請求項１又は２に記載の隣地空無し、鉄筋コンクリート建物を成形する外断熱一体型仮枠構造。
【発明の詳細な説明】
【技術分野】
【０００１】  この発明は、鉄筋コンクリート建物の仮枠の外側のせき板に断熱パネルを用い、その外壁にステンレス化粧鋼板を施工した外断熱仮枠工法に関するものである。
【背景技術】
【０００２】  従来から、ＲＣコンクリート建物の建築工法の一つとして、外壁面に断熱材を施工する外断熱工法がある。建物躯体の外壁に断熱材を施工するため、建物の内部の蓄熱性が高まると共に、年間を通じて室内の温度変動が少なくなり、冷暖房等のエネルギーの消費を抑制し、省エネに貢献している。【０００３】  さらに、外断熱工法は、内断熱工法で問題となっている内部結露の発生を防止し、カビの発生を抑制し、冷暖房の熱効率が高くなるといった利点がある。また、建物の躯体が直接外気と接しないため、真夏の暑い太陽熱や、冬の冷害による建物躯体への悪影響を大幅に減少させ、建物躯体の耐久性が向上するといった利点がある。【０００４】  しかしながら、このような外断熱工法で、ＲＣコンクリート建物を構築しようとした場合、これまでは、躯体コンクリートを構築後、躯体コンクリートの外壁面に断熱材を接着して、その上に耐火材をアンカー等で躯体コンクリートに固定する方法や、ガラス繊維等を躯体コンクリートの外壁面にアンカー等で固定して、その上に耐火モルタル等を施工する方法が行われてきた。【０００５】  このように、何れの外断熱工法にしても、建築中の建物の外側で人手により断熱材を施工する作業を行う必要があるため、建物の外側に足場を設置しなければならず、都市部の建物が密集した狭小地では、土地の有効利用と云う観点から考えて、実質的には外断熱工法でＲＣコンクリート建物を建築することは不可能であった。
【先行技術文献】
【特許文献】
【０００６】  下記の２件の特許文献においても、いずれもＲＣコンクリート建物の躯体コンクリートを構築後、躯体コンクリートの外壁面に断熱材を接着剤で貼り付け、その断熱材に貼り付けたガラス繊維ネット等をアンカー等で躯体コンクリートに固定したり、又は外断熱用断熱パネルをアンカー等で直接躯体コンクリートに固定している。
【特許文献１】特開２００３−１３５８３
【特許文献２】特開２０１０−１７４５０１
【０００７】  このように、何れの外断熱工法においても、ＲＣコンクリート建物の躯体コンクリートを構築後、躯体コンクリートの外壁面に断熱材を施工するため、建物の外側に足場を設置しなければならず、そのため隣地との間に足場構築用の空間を４０ｃｍ以上開けなければならず、土地の有効利用の妨げとなっていた。【０００８】  さらに、断熱材の建物外側に施工する外装材には、ガラス繊維補強セメント板等が使われてきたため、真夏の暑い太陽熱や暴風雨等が外装材へ悪影響を与え、長期的には外装材の耐久性が問題となり定期的に外壁のメンテナンスをする必要があった。
【発明の概要】
【発明が解決しようとする課題】
【０００９】  本発明は、このような、従来の欠点に鑑みて、隣家との隙間が狭い場合でも、外壁の外側に施工する外壁断熱材にコンクリートを打設する際の仮枠としての機能を持たせることにより、外断熱工法でＲＣコンクリート建物を建築することを可能とし、さらに長期にわたり外壁のメンテナンスを不用とし、土地を最大限に活用することができる仮枠を提供することを課題とする。
【課題を解決するための手段】
【００１０】  かかる課題を解決するため、請求項１に記載の発明は、鉄筋コンクリート建物を形成する外断熱仮枠において、多面形状に成形した外壁用のステンレス化粧鋼板の両端を並行に折り曲げ袖固定部を成形すると共に、２枚のベニヤ板で発泡スチロールをサンドイッチ状に接着した断熱パネルの、一方の端部に断熱パネルとセパレーターと袖固定部を固定するための概ねコの字形をして室内側の辺にセパレーターを取り付けるためのタップ穴を開けた断熱パネル固定部材を嵌め込み固定し、他方の端部に袖固定部と隣り合う断熱パネル固定部材を固定するための概ねコの字形をした断熱パネル嵌込部材を嵌め込むことにより断熱パネル仮枠を形成し、その断熱パネル仮枠をステンレス化粧鋼板の袖固定部の間に嵌め込み横方向に複数個並べ、隣り合う断熱パネル固定部材と断熱パネル嵌込部材とステンレス化粧鋼板の袖固定部をボルトで固定したことを特長とする。【００１１】  請求項２に記載の発明は、請求項１に記載の構造に加え、建物の階高に合せてステンレス化粧鋼板を成形すると共に、上階のステンレス化粧鋼板の下端の室内側に下端を室内方向に折り曲げた固定用平板を配置し、室外側にステンレス化粧鋼板の多面形状に合わせた帯状の継目化粧鋼板を配置し、固定用平板と継目化粧鋼板でステンレス化粧鋼板をサンドイッチ状に固定し、下階のステンレス化粧鋼板の上部に挟み込み上下階のステンレス化粧鋼板を一体に形成したことを特長とする。【００１２】  請求項３に記載の発明は、請求項１又は２に記載の構造に加え、多面形状に成形した外壁用のステンレス化粧鋼板の両端を、断熱パネル仮枠の巾と概ね断熱パネル固定部材の厚さを合計した長さに合せて並行に折り曲げ袖固定部を成形したことを特長とする。
【発明の効果】
【００１３】  請求項１に記載の発明によれば、鉄筋コンクリート建物を形成する外断熱仮枠において、多面形状に成形した外壁用のステンレス化粧鋼板の両端を並行に折り曲げ袖固定部を成形すると共に、２枚のベニヤ板で発泡スチロールをサンドイッチ状に接着した断熱パネルの、一方の端部に断熱パネルとセパレーターと袖固定部を固定するための概ねコの字形をして室内側の辺にセパレーターを取り付けるためのタップ穴を開けた断熱パネル固定部材を嵌め込み固定し、他方の端部に袖固定部と隣り合う断熱パネル固定部材を固定するための概ねコの字形をした断熱パネル嵌込部材を嵌め込むことにより断熱パネル仮枠を形成し、その断熱パネル仮枠をステンレス化粧鋼板の袖固定部の間に嵌め込み横方向に複数個並べ、隣り合う断熱パネル固定部材と断熱パネル嵌込部材とステンレス化粧鋼板の袖固定部をボルトで固定したことにより、外壁の外側に施工する外壁断熱材に外仮枠としての機能を持たせ、外断熱工法でＲＣコンクリート建物を建築することを可能とし、さらに長期にわたり外壁のメンテナンスを不用とし、土地を最大限に活用することができる仮枠を提供することが可能となった。【００１４】  請求項２に記載の発明によれば、建物の階高に合せてステンレス化粧鋼板を成形すると共に、上階のステンレス化粧鋼板の下端の室内側に下端を室内方向に折り曲げた固定用平板を配置し、室外側にステンレス化粧鋼板の多面形状に合わせた帯状の継目化粧鋼板を配置し、固定用平板と継目化粧鋼板でステンレス化粧鋼板をサンドイッチ状に固定し、下階のステンレス化粧鋼板の上部に挟み込み上下階のステンレス化粧鋼板を一体に形成したことにより、施工に際して上下階のステンレス化粧鋼板の位置合せが簡単にできるようになり、建物の外壁の縦状の美しいラインを簡単に位置合せすることが可能となった。【００１５】  請求項３に記載の発明によれば、多面形状に成形した外壁用のステンレス化粧鋼板の両端を、断熱パネル仮枠の巾と概ね断熱パネル固定部材の厚さを合計した長さに合せて並行に折り曲げ袖固定部を成形したことにより、断熱パネルの側面を含む外側部分をステンレス化粧鋼板で完全に覆うことができるようになり、断熱パネルが直接外気と接しないため、真夏の暑い太陽熱や、冬の冷害による断熱パネルへの悪影響を大幅に減少させることが可能となった。
【実施例】
【００１６】  以下、この発明の実施の形態について説明する。
［発明の実施の形態］【００１７】  図１乃至図９には、この発明の実施の形態を示す。【００１８】  図１は、鉄筋コンクリート建物の外壁の外側仮枠に用いる断熱パネル１とコーナー用断熱パネル５、９の部材を分解図で示す。断熱パネル１はベニヤ板２（厚さ２．５ｍｍ）、ベニヤ板４（厚さ７．５ｍｍ）と、板状に成形した発泡スチロール３（縦３ｍ、横５０ｃｍ、厚さ５ｃｍ）で構成し、発泡スチロール３をベニヤ板２、４により接着剤で貼り合せことにより、図２で示すような断熱パネル１が形成される。【００１９】  同様に、コーナー用断熱パネル５は、発泡スチロール７の室外側の形状に合わせたベニヤ板６（厚さ７．５ｍｍ）と、発泡スチロール７の室内側の形状に合わせたベニヤ板８（厚さ２．５ｍｍ）と、隣り合うコーナー用断熱パネル９の角部と接合する角部をＬ形に欠き込む形状をした板状の発泡スチロール７（厚さ５ｃｍ）で構成し、発泡スチロール７をベニヤ板６、８により接着剤で貼り合せることにより、図２で示すようなコーナー用断熱パネル５が形成される。【００２０】  同様に、コーナー用断熱パネル９はベニヤ板１０（厚さ２．５ｍｍ）とベニヤ板１２（厚さ７．５ｍｍ）と板状の発泡スチロール１１（厚さ５ｃｍ）で構成し、発泡スチロール１１をベニヤ板１０、１２により接着剤で貼り合せることにより、図２で示すようなコーナー用断熱パネル９が形成される。【００２１】  図２は、図１で説明した断熱パネル１とコーナー用断熱パネル５、９をサンドイッチ状に接着剤で貼り合せた状態を示すと共に、断熱パネル１とコーナー用断熱パネル５と壁用ステンレス化粧鋼板５８（図４で説明する）、コーナー用ステンレル化粧鋼板６５（図４で説明する）を固定するためのコの字形をした断熱パネル嵌込部材１７と断熱パネル固定部材１８を示す。【００２２】  断熱パネル嵌込部材１７は、断熱パネル１又はコーナー用断熱パネル９の一端をくわえ込み、壁用ステンレス化粧鋼板５８（図４で説明する）、又はコーナー用ステンレス化粧鋼板６５（図４で説明する）を断熱パネル固定部材１８に取り付けるための部材で、厚さ１ｍｍの平板鋼板を、概ねコの字形の形状（室外側の辺長５０ｍｍ、室内側の辺長５５ｍｍ、高さ６２ｍｍ、長さ１００ｍｍ）に成形し、室内側の辺長の先端部を折り曲げて折曲部２６を形成すると共に、高さ６２ｍｍの当接部２９には断熱パネル固定部材１８と壁用ステンレス化粧鋼板５８、コーナー用ステンレス化粧鋼板６５（図４で説明する）をボルト３５（図３で説明する）で固定するための取付穴２５が開けられる。【００２３】  断熱パネル固定部材１８は、壁用ステンレス化粧鋼板５８、コーナー用ステンレス化粧鋼板６５を断熱パネル１又はコーナー用断熱パネル５、９に固定し、さらに断熱パネル１とコーナー用断熱パネル５、７をセパレーター（図８で説明する）に固定させるための部材で、厚さ４．５ｍｍの平板鋼板を、概ねコの字形の形状（室外側の辺長４０ｍｍ、室内側の辺長３５ｍｍ、高さ６９ｍｍ、長さ１００ｍｍ）に成形し、室内側の辺は、先端部を室内側に折り曲げて折曲部２３を形成すると共に、セパレーターを取り付けるためのタッピング穴を開け、室外側の辺は、断熱パネル嵌込部材１７を断熱パネル１又はコー���ー用断熱パネル５に固定するための固定穴２２を開け、高さ６９ｍｍの当接部２８には断熱パネル嵌込部材１７と壁用ステンレス化粧鋼板５８、コーナー用ステンレス化粧鋼板６５（図４で説明する）を固定するためのタッピング穴２１（図４、拡大図の破線で示す）が開けられる。【００２４】  図３は、隣り合う断熱パネル１同士と、さらに断熱パネル１とコーナー用断熱パネル５、９を接合させるための断熱パネル固定部材１８を、断熱パネル１の端部の断熱パネル袖部３３とコーナー用断熱パネル５の端部の断熱パネル袖部３４に固定すると共に、コーナー用断熱パネル５、９を組み立てるための断熱パネル固定鋼板３７と角部固定鋼板４１を示す。図２で説明したコーナー用断熱パネル５、９の端部を組み合わせて仮枠角部を構築するため、コーナー用断熱パネル５、９の角部外側には長方形の平板鋼板を等脚台形形状に折り曲げ、左右の面にコーナー用断熱パネル５、９をボルト４３で断熱パネル固定鋼板３７に固定するための穴４２を開けた複数個の角部固定鋼板４１を配置すると共に、コーナー用断熱パネル５、９の角部内側には、長方形の平板鋼板を直角に折り曲げ角部固定鋼板４１の穴４２に挿入するボルト４３を挿入するための複数の穴３９、４０を開け、さらに両端部を並行に折り曲げて折曲部３８を成形し、折曲部３８にはセパレーター８５（図８で説明する）を固定するための穴（図示せず）を開けた断熱パネル固定鋼板３７が配置され、さらにコーナー用断熱パネル５、９にも断熱パネル固定鋼板３７に開けた穴３９、４０に対応する位置に角部固定鋼板４１と断熱パネル固定鋼板３７を固定するための複数の穴１９、２０が開けられる。【００２５】  図４は、コーナー用断熱パネル５とコーナー用断熱パネル９の端部を直角に組み合わせ、その室外側の角部に角部固定鋼板４１を配置すると共に、室内側の角部に断熱パネル固定鋼板３７を配置し、図３で説明した角部固定鋼板４１の穴４２とコーナー用断熱パネル５、９の穴１９、２０と断熱パネル固定鋼板３７の穴３９、４０にボルト４３を挿入し、ナット４５で角部固定鋼板４１とコーナー用断熱パネル５、９と断熱パネル固定鋼板３７を固定すると共に、断熱パネル１に取り付ける壁用ステンレス化粧鋼板５８を配置した状態と、コーナー用断熱パネル５、９に取り付けるコーナー用ステンレス化粧鋼板６５を配置した状態を立体図で示す。【００２６】  壁用ステンレス化粧鋼板５８は図６の断面図にも示すとおり、平板のステンレス鋼板を多面形状に折り曲げて成形する外壁用の化粧鋼板で、壁用ステンレス化粧鋼板５８を隣り合う壁用ステンレス化粧鋼板５８と断熱パネル嵌込部材１７と断熱パネル固定部材１８に固定するため壁用ステンレス化粧鋼板５８の両端を並行に約３５ｍｍ折り曲げて袖固定部５０、５６を形成し、その袖固定部５０、５６には壁用ステンレス化粧鋼板５８を断熱パネル嵌込部材１７、断熱パネル固定部材１８、隣り合う壁用ステンレス化粧鋼板５８、又はコーナー用ステンレス化粧鋼板６５に固定するための複数の穴５７、６８を開けると共に、壁用ステンレス化粧鋼板５８は袖固定部５０と袖固定部５６の間は、概ね台形形の５面形状（外袖部５１、内袖部５２、平部５３、内袖部５４、外袖部５５の���面）に折り曲げた多面形状で形成される。【００２７】  同様に、コーナー用ステンレス化粧鋼板６５は図７の断面図にも示すとおり、平板状のステンレス鋼板を多面形状に折り曲げて形成した化粧鋼板で、コーナー用ステンレス化粧鋼板６５の両端部には断熱パネル嵌込部材１７と断熱パネル固定部材１８と壁用ステンレス化粧鋼板５８の袖固定部５０、又は５６を重ね合せて固定するため約３５ｍｍ巾の袖固定部６６、６７を形成すると共に、袖固定部６６と袖固定部６７の間は、概ね半円形の６面形状（外袖部５９、袖部６０、角部６１、角部６２、袖部６３、外袖部６４の６面）に折り曲げた多面形状で形成される。【００２８】  図５は、図４で説明した断熱パネル１とコーナー用断熱パネル５、９と、壁用ステンレス化粧鋼板５８、コーナー用ステンレス化粧鋼板６５と断熱パネル嵌込部材１７、断熱パネル固定部材１８をボルト３５で固定して組み立て、外断熱仮枠６９を構築した状態を立体図で示す。【００２９】  図６ａは、図２、３、４で説明した隣り合う断熱パネル１に壁用ステンレス化粧鋼板５８を固定するため、断熱パネル嵌込部材１７、断熱パネル固定部材１８、セパレーター７５、ボルト３５、木ネジ３６を配置した状態を断面図で示す。このように配置された断熱パネル１の断熱パネル袖部３３に断熱パネル固定部材１８を嵌め込み、木ネジ３６で断熱パネル固定部材１８を断熱パネル１に固定し、さらに断熱パネル嵌込部材１７と断熱パネル固定部材１８の当接部２９と当接部２８の間に、隣り合う壁用ステンレス化粧鋼板５８同士の袖固定部５０、５６を重ねて挟み込み、ボルト３５を断熱パネル嵌込部材１７の取付穴２５と、隣り合う壁用ステンレス化粧鋼板５８の穴６８と壁用ステンレス化粧鋼板５８の穴５７に挿入し、さらに断熱パネル固定部材１８のタッピング穴２１にボルト３５をねじ込み固定し、断熱パネル固定部材１８のタッピング穴１６にセパレーター７５を固定した状態を図６ｂの壁用外側断熱仮枠７４で示す。【００３０】  このように構成することにより、断熱パネル１の一端が断熱パネル嵌込部材１７の嵌込部２７に固定されることなく、多少の自由ずれ度をもって断熱パネル嵌込部材１７に組み込むことが可能となり、工場で製作する際に発生するロット単位による断熱パネル１、壁用ステンレス化粧鋼板５８の曲げ誤差範囲、切断誤差範囲に対し、現場で組み立てする際の、ずれ許容範囲を、現場納めで吸収させることが可能となった。【００３１】  図７は、図６で説明した隣り合う断熱パネル１同士を固定させるためる構成に加え、断熱パネル１にコーナー用断熱パネル５、９を固定させるための構成を示す。図７ａは、図２、３、４で説明した隣り合う断熱パネル１とコーナー用断熱パネル５、９に、壁用ステンレス化粧鋼板５８とコーナー用ステンレス化粧鋼板６５を固定するため、断熱パネル嵌込部材１７、断熱パネル固定部材１８、セパレーター７６、７７、ボルト３５、木ネジ３６を配置した状態を断面図で示す。このように配置したコーナー用断熱パネル５のコーナー用断熱パネル袖部３４に断熱パネル固定部材１８を嵌め込み、木ネジ３６で断熱パネル固定部材１８をコーナー用断熱パネル５に固定し、さらに断熱パネル嵌込部材１７と断熱パネル固定部材１８の当接部２９と当接部２８の間に、隣り合う壁用ステンレス化粧鋼板５８の袖固定部５６とコーナー用ステンレス化粧鋼板６５の袖固定部６６を重ねて挟み込み、ボルト３５を断熱パネル嵌込部材１７の取付穴２５と壁用ステンレス化粧鋼板５８の穴５７とコーナー用ステンレス化粧鋼板６５の穴７９に挿入し、さらに断熱パネル固定部材１８のタッピング穴２１にねじ込み固定し、さらに断熱パネル固定部材１８のタッピング穴１６にセパレーター７７を固定すると共に、連続する角部の断熱パネル１の断熱パネル袖部３３に断熱パネル固定部材１８を嵌め込み、木ネジ３６で断熱パネル固定部材１８を断熱パネル１に固定し、さらに断熱パネル嵌込部材１７と断熱パネル固定部材１８の当接部２９と当接部２８の間に、隣り合うコーナー用ステンレス化粧鋼板６５の袖固定部６６と壁用ステンレス化粧鋼板５８の袖固定部５６を重ねて挟み込み、ボルト３５を断熱パネル嵌込部材１７の取付穴２５とコーナー用ステンレス化粧鋼板６５の穴８０と壁用ステンレス化粧鋼板５８の穴６８に挿入し、さらに断熱パネル固定部材１８のタッピング穴２１にボルト３５をねじ込み固定し、さらに断熱パネル固定部材１８のタッピング穴１６にセパレーター７７を固定した状態を図７ｂのコーナー用外側断熱仮枠７８で示す。【００３２】  図８は、図６ｂと図７ｂで説明した壁用外側断熱仮枠７４とコーナー用外側断熱仮枠７８を、壁と柱（建物の角柱）の室内側に設置する仮枠せき板８７に、セパレーター７５、７６、７７、８５とセパレーター７５、７６、７７、８５に取り付けたプラスチックコーン８６、８８、８９、９０、９１で取り付けた状態を示す。なお、室内側に設置する仮枠せき板８７を固定するための部材は、従来から仮枠を構築するために一般的に使われている合板仮枠、仮枠内端太、単管、締付け金物等を使用することにより仮枠を組み立てる。【００３３】  図９は、上下階の壁用ステンレス化粧鋼板５８を固定するための継目化粧鋼板９７と、継目化粧鋼板９７を壁用ステンレス化粧鋼板５８に固定するための当て板９４、１０１と上下階の壁用ステンレス化粧鋼板５８を立体図で示す。継目化粧鋼板９７は、多面形状に折り曲げた壁用ステンレス化粧鋼板５８の、図４で説明した外袖部５１、内袖部５２、平部５３、内袖部５４、外袖部５５の外面形状に合致するように厚さ１ｍｍ、巾６０ｍｍのステンレス鋼板で形成し、外袖部５１、５５に継目化粧鋼板９７を壁用ステンレス化粧鋼板５８に固定するための穴９６、９９を開けると共に、壁用ステンレス化粧鋼板５８の下部にも継目化粧鋼板９７に開けた穴９６、９９と相対する位置に穴９２、９３を開け、継目化粧鋼板９７の概ね上下中間部の上側を壁用ステンレス化粧鋼板５８の外側下部に金属ボンドで接着し、さらに壁用ステンレス化粧鋼板５８の内側下部には、厚さ１ｍｍで四角形状のステンレス鋼板の下部を室内側に折り曲げ折曲部１０２、１０３を形成し継目化粧鋼板９７に開けた穴９６、９９と相対する位置に穴９５、１００を開けた２枚の当て板９４、１０１を、それぞれ壁用ステンレス化粧鋼板５８の内側下部に金属接着剤で接着し、タップネジ９６、９８を継目化粧鋼板９７に開けた穴９９、１０４と、壁用ステンレ��化粧鋼板５８に開けた穴９２、９３と当て板９４、１０１の穴９５、１００に貫通させることにより、壁用ステンレス化粧鋼板５８の下部に継目化粧鋼板９７が固定される。このように固定した壁用ステンレス化粧鋼板５８を、先に構築した壁用ステンレス化粧鋼板５８の上部に差し込むことにより図９ｂで示すように建物の上下階の壁用ステンレス化粧鋼板の縦状の美しいラインを華麗に簡単に位置合せすることが可能となった。【００３４】  以上、実施の形態に基づいて、本発明に係る隣地空無し、鉄筋コンクリート建物を成形する外断熱一体型仮枠構造について詳細に説明してきたが、本発明は、以上の実施の形態に限定されるものではなく、発明の趣旨を逸脱しない範囲において各種の改変をなしても、本発明の技術的範囲に属するのはもちろんである。【００３５】  図４〜図９において、壁用ステンレス化粧鋼板５８とコーナー用ステンレス化粧鋼板６５の多面形状について説明したが、この多面形状に限定せず、断熱パネル１又はコーナー用断熱パネル５、９と壁用ステンレス化粧鋼板５８又はコーナー用断熱パネル６５の間に隙間を形成し通気が可能な多面形状をしたステンレス化粧鋼板を用いることも、もちろん可能である。【００３６】  図９において、上下階の壁用ステンレス化粧鋼板５８を合体させるための継目化粧鋼板９７について説明したが、上下階のコーナー用ステンレス化粧鋼板６５を合体させるための継目化粧鋼板についても、壁用ステンレス化粧鋼板５８の継目化粧鋼板９７と同様の構成で形成することも、もちろん可能である。
【図面の簡単な説明】
【００３７】
【図１】本発明の実施の形態に係る、断熱パネルの分解図である。
【図２】同実施の形態に係る、図１の断熱パネルの組立図である。
【図３】同実施の形態に係る、図２のコーナー用断熱パネルを組み立てるための断熱パネル固定鋼板と角部固定鋼板の立体図である。
【図４】同実施の形態に係る、壁用ステンレス化粧鋼板とコーナー用ステンレス化粧鋼板を断熱パネルとコーナー用断熱パネルに配置した状態の立体図である。
【図５】同実施の形態に係る、図４の壁用ステンレス化粧鋼板とコーナー用ステンレス化粧鋼板を断熱パネルとコーナー用断熱パネルに固定した状態の立体図である。
【図６】同実施の形態に係る、壁用ステンレス化粧鋼板と断熱パネルを固定するための、断熱パネル固定部材と断熱パネル嵌込部材を配置した状態の断面図である。
【図７】同実施の形態に係る、壁用ステンレス化粧鋼板とコーナー用ステンレス化粧鋼板を断熱パネルとコーナー用断熱パネルに固定するための、断熱パネル固定部材と断熱パネル嵌込部材を配置した状態の断面図である。
【図８】同実施の形態に係る、断熱パネルとコーナー用断熱パネルを壁用ステンレス化粧鋼板とコーナー用ステンレス化粧鋼板に固定し、セパレーターとプラスチックコーンで仮枠内側せき板に取り付けた状態の断面図である。
【図９】同実施の形態に係る、上下階の壁用ステンレス化粧鋼板を固定するための継目化粧鋼板の立体図である。
【符号の説明】
【００３８】１                  断熱パネル
２                  ベニヤ板
３                  発泡スチロール
４                  ベニヤ板
５                  コーナー用断熱パネル
６                  コーナー用ベニヤ板
７                  コーナー用発泡スチロール
８                  コーナー用ベニヤ板
９                  コーナー用断熱パネル
１０                コーナー用ベニヤ板
１１                コーナー用発泡スチロール
１２                コーナー用ベニヤ板
１６                タッピング穴
１７                断熱パネル嵌込部材
１８                断熱パネル固定部材
１９                穴
２０                穴
２１                タッピング穴
２２                固定穴
２３                折曲部
２４                嵌込部
２５                取付穴
２６                折曲部
２７                嵌込部
２８                当接部
２９                当接部
３３                断熱パネル袖部
３４                コーナー用断熱パネル袖部
３５                ボルト
３６                木ネジ
３７                断熱パネル固定鋼板
３８                折曲部
３９                穴
４０                穴
４１                角部固定鋼板
４２                穴
４３                ボルト
４４                角平面
４５                ナット
５０                袖固定部
５１                外袖部
５２                内袖部
５３                平部
５４                内袖部
５５                外袖部
５６                袖固定部
５７                穴
５８                壁用ステンレス化粧鋼板
５９                外袖部
６０                袖部
６１                角部
６２                角部
６３                袖部
６４                外袖部
６５                コーナー用ステンレス化粧鋼板
６６                袖固定部
６７                袖固定部
６８                穴
６９                外断熱仮枠
７４                壁用外側断熱仮枠
７５                セパレーター
７６                セパレーター
７７                セパレーター
７８                コーナー用外側断熱仮枠
７９                穴
８０                穴
８３                ナット
８４                ボルト
８５                セパレーター
８６                プラスチックコーン
８７                仮枠せき板
８８                プラスチックコーン
８９                プラスチックコーン
９０                プラスチックコーン
９１                プラスチックコーン
９２                穴
９３                穴
９４                当て板
９５                穴
９６                タップネジ
９７                継目化粧鋼板
９８                タップネジ
９９                穴
１００              穴
１０１              当て板
１０２              折曲部
１０３              折曲部
【図１】
0006534067.tif 000002
【図２】
0006534067.tif 000003
【図３】
0006534067.tif 000004
【図４】
0006534067.tif 000005
【図５】
0006534067.tif 000006
【図６】
0006534067.tif 000007
【図７】
0006534067.tif 000008
【図８】
0006534067.tif 000009
【図９】
0006534067.tif 000010